(57)【要約】【課題】自動的にデータ位置とデータ形態を調整行い、または、カメラに設けた外部から操作可能な調整手段により、データ形態（例えばデータの大きさ、角度、色など）を自由に変更させ、見やすいプリントを得ることができるカメラを提供する。【解決手段】被写体の光学像を電子像信号に変換する撮像手段と、撮像手段により撮影された画像の中に所定のデータを表示させる表示手段と、被写体位置を検出する被写体位置検出手段とを有したカメラであって、検出された被写体位置に応じてデータの位置を選択するデータ位置選択手段と、そのデータ位置に関しての情報を検出するデータ位置情報検出手段とを備え、データ位置情報に応じてデータ形態を変える。【選択図】  図１
2005173282.tif 000002
【特許請求の範囲】
【請求項１】
被写体の光学像を電子像信号に変換する撮像手段と、前記撮像手段により撮影された画像の中に所定のデータを表示させる表示手段と、被写体位置を検出する被写体位置検出手段とを有したカメラにおいて、
前記検出された被写体位置に応じてデータの位置を選択するデータ位置選択手段と、そのデータ位置に関しての情報を検出するデータ位置情報検出手段とを有し、前記データ位置情報に応じてデータ形態を変えることを特徴とするカメラ。
【請求項２】
請求項１記載のカメラにおいて、データ形態とはデータの大きさであることを特徴とするカメラ。
【請求項３】
請求項１記載のカメラにおいて、データ形態とはデータの角度であることを特徴とするカメラ。
【請求項４】
請求項１記載のカメラにおいて、データ形態とはデータの色であることを特徴とするカメラ。
【請求項５】
請求項２〜４いずれか記載のカメラにおいて、データとは日付、撮影情報、撮影者が設定した情報のいずれかであることを特徴とするカメラ。
【請求項６】
請求項１記載のカメラにおいて、データ位置情報に応じて、データ形態を調整する外部操作手段と有することを特徴とするカメラ。
【請求項７】
請求項１記載のカメラにおいて、データ位置情報に応じて、データ形態は表示手段で確認することが可能なことを特徴とするカメラ。
【請求項８】
請求項１記載のカメラにおいて、データ位置情報は被写体以外のエリアのサイズに関する情報であることを特徴とするカメラ。
【請求項９】
請求項１記載のカメラにおいて、データ位置情報はコントラストに関する情報であることを特徴とするカメラ。
【請求項１０】
請求項１記載のカメラにおいて、撮影された画像データをプリント用紙に印刷する印刷手段を有することを特徴とするカメラ。
【発明の詳細な説明】
【技術分野】
【０００１】
本発明は、カメラに係り、詳しくは撮影された画像の中に所定のデータのデータ位置とデータ形態の調整に関するものである。
【背景技術】
【０００２】
被写体の情報に応じて、データ形態である撮影データの日付位置または色を変える従来技術は、特許文献１、特許文献２に開示されている。
【０００３】
特許文献１は、ビデオカメラで撮影した映像に日付表示を行う場合、被写体の位置によっては日付表示が被写体に重ならないように自動的に変える構成になっている。
【０００４】
特許文献２は、フイルムの画面上各部の色を読み取るスキャナが設けられ、このスキャナのデータによりフイルムに撮影された画像によってデータ色を変える構成になっている。
【特許文献１】特開平６−２６８８９７号広報
【特許文献２】特開平５−３２３４６９号広報
【発明の開示】
【発明が解決しようとする課題】
【０００５】
しかしながら、上記従来例では日付の大きさと角度は変更出来ないため、日付の配置においては十分ではない。
【０００６】
また、フイルムの画像色を読み取るために、スキャナを使用する必要があり、操作が非常に煩わしかった。
【０００７】
本発明はこのような課題に鑑みて成されたものであり、自動的にデータ位置とデータ形態を調整行い、または、カメラに設けた外部から操作可能な調整手段により、データ形態（例えばデータの大きさ、角度、色など）を自由に変更させ、見やすいプリントを得ることができるカメラを提供することを課題とする。
【課題を解決するための手段】
【０００８】
上記課題を解決するために、本発明における請求項１記載の発明は、被写体の光学像を電子像信号に変換する撮像手段と、前記撮像手段により撮影された画像の中に所定のデータを表示させる表示手段と、被写体位置を検出する被写体位置検出手段とを有したカメラにおいて、前記検出された被写体位置に応じてデータの位置を選択するデータ位置選択手段と、そのデータ位置に関しての情報を検出するデータ位置情報検出手段とを有し、前記データ位置情報に応じてデータ形態を変えることを特徴とする。
【０００９】
上記構成により、被写体位置に応じて、自動的に最適なデータ位置を選択し、そのデータ位置に対してデータ形態（例えばデータの大きさ、角度、色など）を変更できるようになった。
【００１０】
また、本発明における請求項２記載の発明は、請求項１記載のカメラにおいて、データ形態とはデータの大きさであることを特徴とする。
【００１１】
上記構成により、被写体位置に応じて、自動的に最適なデータ位置を選択し、そのデータ位置に対してデータの大きさを変更ができるようにしている。
【００１２】
また、本発明における請求項３記載の発明は、請求項１記載のカメラにおいて、データ形態とはデータの角度であることを特徴とする。
【００１３】
上記構成により、被写体位置に応じて、自動的に最適なデータ位置を選択し、そのデータ位置に対してデータの角度を変更ができるようにしている。
【００１４】
また、本発明における請求項４記載の発明は、請求項１記載のカメラにおいて、データ形態とはデータの色であることを特徴とする。
【００１５】
上記構成により、被写体位置に応じて、自動的に最適なデータ位置を選択し、そのデータ位置に対してデータの色を変更ができるようにしている。
【００１６】
また、本発明における請求項５記載の発明は、請求項２〜請求項４記載のカメラにおいて、データとは日付、撮影情報、撮影者が設定したデータ情報のいずれかであることを特徴とする。
【００１７】
上記構成により、撮影者は自由にデータ情報を設定できるようにしている。
【００１８】
また、本発明における請求項６記載の発明は、請求項１記載のカメラにおいて、データ位置情報に応じて、データ形態を調整する外部操作手段とを有することを特徴とする。
【００１９】
上記構成により、データ位置情報に応じて、撮影者が外部操作入力によって簡単にデータ状態（例えばデータの大きさ、角度、色など）を変更できるようにしている。
【００２０】
また、本発明における請求項７記載の発明は、請求項１記載のカメラにおいて、データ位置情報に応じて、データ形態は表示手段で確認することが可能なことを特徴とする。
【００２１】
上記構成により、表示手段であるモニターで画像情報を表示され、撮影者が即時に被写体位置とデータ位置とデータ形態を確認できるようにしている。
【００２２】
また、本発明における請求項８記載の発明は、請求項１記載のカメラにおいて、データ位置情報は被写体以外のエリアのサイズに関する情報であることを特徴とする。
【００２３】
上記構成により、被写体以外のエリアのサイズに関する情報からデータ形態は簡単にできるようにしている。
【００２４】
また、本発明における請求項９記載の発明は、請求項１記載のカメラにおいて、データ位置情報はコントラストに関する情報であることを特徴とする。
【００２５】
上記構成により、被写体のコントラストに関する情報からデータ形態は簡単にできるようにしている。
【００２６】
また、本発明における請求項１０記載の発明は、請求項１記載のカメラにおいて、撮影された画像データをプリント用紙に印刷する印刷手段を有することを特徴とする。
【００２７】
上記構成により、印刷手段をカメラ内に設置したため、撮影者が好きな画像を選択し、印刷することができるという利点がある。
【発明の効果】
【００２８】
本発明よれば、撮影画像の被写体位置により、データ位置は自動的に選択され、そのデータの位置に応じてデータ形態も自動的に設定される。また、撮影者は外部操作部材の操作を行うことから、データ形態であるデータの大きさ、データの角度、データの色も簡単に設定できるようにしている。
【００２９】
したがって、設定したデータ情報の印刷を扱いやすく、画像も見やすく、印刷画像全体バランスが向上させることができる。
【００３０】
即ち、請求項１において、カメラに装着された被写体位置検出手段は自動的に被写体位置を検出することで、撮影者は特別な制御しなくでも、日付、撮影情報などデータの最適なデータの位置が選択され、そのデータの位置に応じてデータ形態が決められ、見やすいプリントを得ることができる。
【００３１】
また、請求項２において、被写体位置に応じて、自動的に最適なデータ位置を選択し、そのデータ位置に対してデータ形態であるデータの大きさも自動的に選択される。
【００３２】
また、請求項３において、被写体位置に応じて、自動的に最適なデータ位置を選択し、そのデータの位置に対してデータ形態であるデータの角度も自動的に選択される。
【００３３】
また、請求項4において、被写体位置に応じて、自動的に最適なデータ位置を選択し、そのデータ位置に対してデータ形態であるデータの色も自動的に選択される。
請求項５において、撮影者は自由にデータに関する情報を設定でき、そのデータ情報は簡単に印刷できるようにしている。
【００３４】
また、請求項６において、自動的に設定されたデータ位置に対して、カメラに装着された外部操作ボタンの操作により、データ形態は最適な形態に設定ができ、一段上の印刷画像を印刷することが可能となる。
【００３５】
また、請求項７において、カメラに表示モニターが装着されたため、外部モニターとの接続は必要なく、撮影者は簡単にデータ位置とデータ形態を確認することができる。
【００３６】
また、請求項８において、被写体位置に応じて、被写体以外のエリアのサイズを見つけて一段上のデータ位置を選択することができる。
【００３７】
また、請求項９において、被写体位置に応じて、被写体のコントラストに関する情報により一段上のデータの色を設定することができる。
【００３８】
また、請求項１０において、プリンタ部をカメラ内に設置したため、撮影者が好きな画像を選択し、外部プリンタとの接続は必要なく、印刷することができるという利点がある。
【発明の最良の実施形態】
【００３９】
以下に本発明の実施例について説明する。
【実施例１】
【００４０】
以下に、本発明の第１の実施例のカメラを図１〜図７に基づいて説明する。
【００４１】
カメラは、ＣＣＤなどの固体撮像素子を用いて撮像した画像をメモリに蓄積するデジタルカメラ部と、例えばインクジェット記録方法によりメモリに蓄積された画像をプリント用紙に印刷し、プリント用紙に出力するプリンタ部が備えられている。カメラの構成について、図１、図２を参照しながら説明する。図１はカメラの右前方斜視図、図２はカメラの右後方斜視図である。
【００４２】
カメラ本体１の前面には、図示しない撮影レンズユニットを備えた鏡筒ユニット２が設けられ、ファインダー対物窓３、ストロボ４、ＡＦ投光窓５、ＡＦ受光窓６、リモコン受光窓７、測光用ＡＥ窓８が設けられている。
【００４３】
そして、撮影レンズ光軸９の被写体側の像を鏡筒ユニット２により取り入れ、撮影される被写界の光学像をカメラ本体に内蔵された図示しない固体撮影素子に結像し、該固体撮影素子によって光学像を電子像信号に変換した撮影画像は、カメラ本体１の磁気などの媒体に記憶されていく。該記憶された画像情報は撮影者の印刷指示操作によりプリント用紙１１に視認可能に印刷できるようにしている。
【００４４】
カメラ本体１の上面には、レリーズボタン１０が設けられている。また、カメラ本体１の右側面（正面から見た場合）には、印刷されたプリント用紙１１が排出される排出口１２が設けられている。該印刷されたプリント用紙１１は排出口１２より印刷が進むにつれて排出されてくる。すなわち印刷が全て完了しない状態であっても印刷されたプリンタ像の一部を撮影者が見ることができる。
【００４５】
さらに、カメラ本体１の背面には、ファインダー接眼窓１３、画像用液晶表示パネル１４、メインスイッチボタン１５、モード切換えボタン１６、データ大きさ設定ボタン１７、データ角度設定ボタン１８、画像送りボタン１９、プリントボタン２０、ズームボタン２１が設けられている。
【００４６】
また、カメラ本体１の左側面（正面から見た場合）には、複数枚のプリント用紙１１が収納されたカードリッジ２２があり、挿入口２３を介して前記カメラ本体１内の収納位置まで挿入されると、前記カメラ本体１内収納された状態になっている。
【００４７】
次に印刷する手段の構成について、図３を参照しながら説明する。図３はカメラの背蓋を開けた斜視図である。
【００４８】
１ａはカメラの背蓋、２４はプリンタヘッドに設けられた各色のノズル、２５はノズルから射出されるインク、２６は印刷用のプリンタヘッドである。
【００４９】
ここで、インク２５のノズル２４からの射出方向は、光軸９に平行でカメラの像面側から被写体側に向かっている。
【００５０】
一般の撮影者はカメラを構え、そのままカメラを保持した状態で印刷の指示を行う。そして印刷終了するまでの経過をその状態で観察している。
【００５１】
そのために両手でカメラを構え、カメラの光軸方向被写体側は地面方向を向いていることが多い。
【００５２】
そのように姿勢が安定している状態でインク２５の射出量を制御すると常に綺麗な印刷が早く行えるので、インク２５の射出方向を光軸方向被写体側に揃えている。
【００５３】
このようにカメラの背面側に像がプリントされる配置すると、撮影者は撮影が完了し、そのままカメラを持ち換えないでプリント像の印刷状態を見ることが出来、撮影者にとって扱いやすいカメラになる。
【００５４】
次に、カメラの機能構成について図４を参照しながら説明する。図４はカメラの機能構成を示すブロック図である。
【００５５】
カメラは、装置全体の制御を行う制御手段２７と、被写体像を撮影して画像信号として出力する撮像部２８と、前記撮像部２８の撮像動作を制御するための撮像制御部２９と、前記カートリッジ２２から給紙されたプリント用紙１１に画像データ−を印刷するためのプリンタエンジン部３０と、前記プリンタエンジン部３０のプリンタ動作を制御するプリンタ制御部３１と有し、また、撮影モード、印字大きさモード、印字角度モード、プリント出力モードなどを設定するためのモード設定手段３２と、撮像した画像データ−を記憶するためのメモリ手段３３と、撮像した画像データ−などを表示するためのモニター表示手段３４と有している。
【００５６】
さらに、前記カートリッジ２２の装填状態を検出するためのカートリッジ検出手段３５と、被写体の位置を検出するための被写体位置検出手段３６と、各種設定、指示を行うための複数のスイッチ３７〜３９(以下、ＳＷ１〜ＳＷ３)を備えている。
【００５７】
次に、カメラの動作について図５、図６を参照しながら説明する。
【００５８】
図５及び図６はカメラの動作手順を示すフローチャートである。
【００５９】
まず、メインスイッチ１５がＯＮされると(ステップＳ１)、装置全体へ電源が自動的に投入される。そして、制御手段２７は撮像制御部２９を介して撮像部２８を駆動する(ステップＳ２)。
【００６０】
具体的には、鏡筒ユニット２を駆動して撮影位置であるＷＩＤＥ端に繰り出しセットする。その後、撮影者によるモードの設定などの操作が行われることが可能になっている。例えば、モード設定手段３２により撮影モードの設定が行われる。
【００６１】
本実施例では、通常の全自動撮影モード、ポートレートモード、連続撮影モードなどの数種類のモードを有し、モード切換えボタン１６の操作によって所望の撮影モードを選択することが可能になっている。
【００６２】
そして、モード切換えボタン１６の操作によって撮影モードが選択されると、この選択された撮影モードを示す信号が制御手段２７に入力され、選択された撮影モードが設定される。
【００６３】
撮影者が、撮影に際してズームボタン２３による画角調整後、レリーズボタン１０を第１のストロークまで押し込むと、制御手段２７にはスイッチ３７からのＳＷ１信号が入力される(ステップＳ３)。
【００６４】
ＳＷ１信号の入力に応じて制御手段２７は、撮像制御部２９を介して撮像部２８を駆動し、測光ＡＥ窓８から入力した光量に応じた露出制御値の決定、ＡＦ投光窓５、ＡＦ受光窓６から投受光された近赤外光による測距情報の決定、ストロボ４の発光の有無など露出動作に必要な諸条件の決定を行う(ステップＳ４)。
【００６５】
撮影者が実際に撮影を実行するために、更にレリーズボタン１０を押し込むと、制御手段２７にはスイッチ３８からのＳＷ２信号が入力される(ステップＳ５)。
【００６６】
制御手段２７は、撮像制御部２９を介して撮像部２８を駆動して、焦点合わせのためのレンズ駆動、シャッターの速度制御、絞りの開口量制御、また必要であればストロボの発光など、一連の露光動作を行い(ステップＳ６)。
【００６７】
そして、図示しない固体撮像素子により撮像された画像情報をメモリ手段３３に取り込む(ステップＳ７)。
【００６８】
制御手段２７は、モニター表示手段３４、すなわち画像用液晶表示パネル１４を駆動して、撮影された画像情報を表示する(ステップＳ８)。
【００６９】
撮影動作は、上述した動作を繰り返すことによって行われ、撮像された画像データ−は、メモリ手段３３に蓄積される。また、撮影者がプリント出力を所望し場合、プリント出力モードの設定がモード設定手段３２によって行われる(ステップＳ９)。
【００７０】
このプリント出力モードの設定においては、メモリ手段３３に取り込まれた画像情報を画像送りボタン１９によって送りしながら画像用液晶表示パネル１４に表示しながら検索を行うことによって、プリント出力したい画像情報が選択されることが可能になっている。
【００７１】
図７はモニターで表示された画像情報を示す図である。
【００７２】
画像送りボタン１９によって画像が選択されると、この選択された画像を示す信号が制御手段２７に入力され、選択された画像が設定される。
【００７３】
そして、制御手段２７は図示しない被写体位置検出手段３６を介して、選択された画像の被写体位置の検出動作を行い。前記検出された被写体位置の結果に対して、データの位置を自動的に選択され、そのデータの位置に関する情報に応じて、図７aに示すようにデータ形態であるデータの大きさとデータの角度は自動的に決定表示することが可能になっている(ステップＳ１０)。
【００７４】
一方、制御手段２７は図示しない被写体位置検出手段３６を介して、検出された被写体位置の占める範囲が大きく、かつ、被写体位置以外のエリアのサイズが少ないとき、日付または撮影データなどデータの自動設定が困難となり、そして、モニター上に最小限なデータ位置を表示しながら警告を発する(ステップＳ１１)。
【００７５】
本実施例では、日付または撮影データの表示を点滅させ、または、音声を鳴かすことで撮影者に知らせる。図７（ｂ）に示すように、撮影者はモニターを見ながら、表示された日付または撮影データの大きさと角度の調整変更を行う。
【００７６】
具体的には、撮影者はデータ大きさ設定ボタン１７を用いてデータのサイズを変更設定(ステップＳ１２)、データ角度設定ボタン１８を用いてデータの角度を変更設定することが可能になっている(ステップＳ１３)。
【００７７】
さらに、データ位置を変更するには、モード切換えボタン１６を押しながらデータ大きさ設定ボタン１７、データ角度設定ボタン１８、画像送りボタン１９、プリントボタン２０のいずれかひとつを押すと、前記データ位置は上下左右に移動となり、撮影者自身は最適なデータ位置を設定可能になっている(ステップＳ１４)。
【００７８】
撮影者によってプリントボタン２０が押されると(ステップＳ１５)、プリントボタン２０であるスイッチ３９からＳＷ３信号が制御手段２７に入力され、制御手段２７はプリント動作に入る。
【００７９】
次に、制御手段２７は、カートリッジ検出手段３５、すなわち図示しないカートリッジ装填スイッチの出力に基づきカートリッジ２２が装填されたか否かをチェックし(ステップＳ１６)、カートリッジ２２が装填されていると、プリンタ制御部３１を介してプリンタエンジン部３０によるプリント動作を実行する(ステップＳ１７)。
【００８０】
このプリント動作において、プリンタ制御部３１は、メモリ手段３３に蓄えられた画像情報にプリンタ出力用に画像処理（色補正や二値化処理など）を施し、この画像処理後の画像情報をプリンタエンジン部３０に出力する。
【００８１】
プリンタエンジン部３０は、カートリッジ２２から給紙されたプリント用紙１１に印刷し、この印刷されたプリント用紙１１は搬送されて、排出口１２に排出される(ステップＳ１８)。
【００８２】
上記説明したように、本実施形態によれば、データ大きさ設定ボタン１７とデータ角度設定ボタン１８を介して、簡単な操作で文字またはデータの大きさを適正に調整でき、さらに、その他の操作ボタンと組み合わせすれば、データ位置を自由に移動できることより、バランス良いプリントを得ることができる。
【００８３】
また、本実施例における被写体位置に対してデータの大きさと角度を変更ができることは一例であり、被写体位置に対してデータの大きさと色を変更することも同様の効果を得られるのは言うこともない。
【実施例２】
【００８４】
図８から図１０は本発明の第２の実施形態を示すものである。
【００８５】
図８は、本発明の第２の実施形態を示したカメラの機能構成を示すブロック図であり、図９はカメラの動作手順を示すフローチャートである。
【００８６】
本実施例における構造は、上述の実施例１のものとほぼ同じであるから、実施例１に示した構造要素と同じものは、図８においても、図１から図７と同じ符号で表示し、これらの構造要素については説明を省略する。
【００８７】
図８において、第２の実施形態で第１の実施形態と異なるのは、撮影者が撮影された画像をプリント出力所望した場合には、メモリ手段３３に取り込まれた画像情報を画像送りボタン１９によって送りしながら画像用液晶表示パネル１４に表示しながら検索を行うことによって、プリント出力したい画像情報が選択される。
【００８８】
図１０はモニターで表示された画像情報を示す図である。
【００８９】
画像送りボタン１９によって画像が選択されると、この選択された画像を示す信号が制御手段２７に入力され、選択された画像が設定される。
【００９０】
そして、制御手段２７は図示しないコントラスト判定手段４０を介して、選択された画像の被写体位置とコントラストの検出判定を行い。前記検出判定された被写体位置とコントラストに関する情報に応じて、日付または撮影データなどデータの位置を選択され、そのデータの位置に関する情報により、図１０aに示すようにデータ形態であるデータの色とデータの角度は自動的に決定表示することが可能になっている(ステップＳ２０)。
【００９１】
一方、制御手段２７は図示しないコントラスト判定手段４０を介して、検出された被写体位置の占める範囲が大きく、かつ、コントラストの検出も困難とき、日付または撮影データなどデータ位置の自動設定がうまく出来なくなり、そして、モニター上に最小限なデータ位置を表示しながら警告を発する(ステップＳ２１)。
【００９２】
本実施の警告形態は、日付または撮影データの表示を点滅させ、または、音声を鳴かすことで撮影者に知らせる。図１０（ｂ））に示すように、撮影者はモニターを見ながら、表示された日付または撮影データの色と角度の調整変更を行い。
【００９３】
具体的には、撮影者は色設定ボタン４１（図２を参照こと）を用いてデータの色変更設定(ステップＳ２２)、データ角度設定ボタン１８を用いてデータの角度を変更設定すること可能になっている(ステップＳ２３)。
【００９４】
さらに、データ位置を変更するには、モード切換えボタン１６を押しながらデータ角度設定ボタン１８、画像送りボタン１９、プリントボタン２０、色設定ボタン４１のいずれかひとつを押すと、前記データ位置は上下左右に移動となり、撮影者自身は最適なデータ位置を設定可能になっている(ステップＳ２４)。
【００９５】
印刷撮影者によってプリントボタン２０が押されると(ステップＳ１５)、プリントボタン２０であるスイッチ３９からＳＷ３信号が制御手段２７に入力され、制御手段２７はプリント動作に入る。
【００９６】
次に、制御手段２７は、カートリッジ検出手段３５、すなわち図示しないカートリッジ装填スイッチの出力に基づきカートリッジ２２が装填されたか否かをチェックし(ステップＳ１６)、カートリッジ２２が装填されていると、プリンタ制御部３１を介してプリンタエンジン部３０によるプリント動作を実行する(ステップＳ１７)。
【００９７】
このプリント動作において、プリンタ制御部３１は、メモリ手段３３に蓄えられた画像情報にプリンタ出力用に画像処理（色補正や二値化処理など）を施し、この画像処理後の画像情報をプリンタエンジン部３０に出力する。
プリンタエンジン部３０は、カートリッジ２２から給紙された記録紙１１に印刷し、この印刷された記録紙１１は搬送されて、排出口１２に排出される(ステップＳ１８)。
【００９８】
上記説明したように、本実施形態によれば、データ角度設定ボタン１８と色設定ボタン４１を介して、簡単な操作でプリント画像に対して、データの色と角度を適正に調整でき、さらに、その他の操作ボタンと組み合わせすれば、データ位置を自由に移動できることより、バランス良いプリントを得ることができる。
【００９９】
また、本実施例における被写体位置に対してデータの色と角度を選択できることは一例であり、指定されたデータの色と角度に対して、被写体位置を選択することも同様の効果を得られるのは言うまでもない。
【０１００】
さらに、本実施例におけるカメラにプリンタ部が備えられている場合を説明したが、これに限定されず、各種のカメラに適用して効果を発揮し得ることができる。
【図面の簡単な説明】
【０１０１】
【図１】本発明に係る第１の実施形態のカメラの右前方斜視図である。
【図２】本発明に係る第１の実施形態のカメラの右後方斜視図である。
【図３】本発明に係る第１の実施形態のカメラの背蓋を開けた斜視図である。
【図４】本発明に係る第１の実施形態のカメラの機能構成を示すブロック図である。
【図５】本発明に係る第１の実施形態のカメラの動作手順を示すフローチャートである。
【図６】本発明に係る第１の実施形態のカメラの動作手順を示すフローチャートである。
【図７】本発明に係る第１の実施形態のモニターで表示された画像情報を示すである。
【図８】本発明に係る第２の実施形態のカメラの機能構成を示すブロック図である。
【図９】本発明に係る第２の実施形態のカメラの動作手順を示すフローチャートである。
【図１０】本発明に係る第２の実施形態のモニターで表示された画像情報を示すである。
【符号の説明】
【０１０２】
１    カメラ本体
１a   背蓋
２    鏡筒ユニット
３    ファインダー対物窓
４    ストロボ
５    ＡＦ投光窓
６    ＡＦ受光窓
７    リモコン受光窓
８    測光用ＡＥ窓
９    撮影レンズ光軸
１０  レリーズボタン
１１  プリント用紙
１２  排出口
１３  ファインダー接眼窓
１４  画像用液晶表示パネル
１５  メインスイッチボタン
１６  モード切換えボタン
１７  データ大きさ設定ボタン
１８  データ角度設定ボタン
１９  画像送りボタン
２０  プリンタボタン
２１  ズームボタン
２２  カードリッジ
２３  挿入口
２４  ノズル
２５  インク
２６  プリンタヘッド
２７  制御手段
２８  撮像部
２９  撮像制御部
３０  プリンタエンジン部
３１  プリンタ制御部
３２  モード設定手段
３３  メモリ手段
３４  モニター表示手段
３５  カートリッジ
３６  被写体位置検出手段
３７  ＳＷ１
３８  ＳＷ２
３９  ＳＷ３
４０  コントラスト判定手段
４１  色設定手段
【図１】
2005173282.tif 000003
【図２】
2005173282.tif 000004
【図３】
2005173282.tif 000005
【図４】
2005173282.tif 000006
【図５】
2005173282.tif 000007
【図６】
2005173282.tif 000008
【図７】
2005173282.tif 000009
【図８】
2005173282.tif 000010
【図９】
2005173282.tif 000011
【図１０】
2005173282.tif 000012